(57)【要約】【課題】導電部材をケースから絶縁しつつ、二次電池の性能評価を行うことのできる蓄電装置を提供する。【解決手段】二次電池１０では、電極組立体１４と接続される導電部材３１，３５と端子１５，１６とが接続されている。端子１５，１６は、ケース１１の蓋体１３からケース１１外に突出している。導電部材３１，３５は絶縁カバー５０によって覆われている。絶縁カバー５０は、導電部材３１，３５と蓋体１３の内面１３ｂとの間で延びている第１絶縁部５１と、第１絶縁部５１の端部５１ｃから立設された第２絶縁部５２とを有している。絶縁カバー５０の第２絶縁部５２の端部５２ｃには切欠部５３が形成されており、切欠部５３によって導電部材３１，３５の一部分が露出されている。【選択図】図３
2015125943.tif 000002
【特許請求の範囲】
【請求項１】
電極組立体を収容するケースと、
前記電極組立体と接続された導電部材と、
前記導電部材と接続されるとともに前記ケース外に突出する端子と、
前記導電部材を前記ケースから絶縁する絶縁カバーと、を備え、
前記絶縁カバーは、前記ケースを構成するケース壁のうちで前記導電部材に面する第１ケース壁と、前記導電部材と、の間に配置される第１絶縁部と、
前記ケースを構成するケース壁のうちで前記第１ケース壁から立設するケース壁であって互いに対向する第２ケース壁と、前記導電部材と、の間に配置され、且つ前記第１絶縁部の端部のうちで前記第２ケース壁と対向する端部から前記ケース内側に向けて立設された第２絶縁部と、
前記導電部材の一部分を露出させる露出部と、を有することを特徴とする蓄電装置。
【請求項２】
前記露出部は、前記絶縁カバーの切欠部であり、前記導電部材のうち前記端子との接続部分を露出させている請求項１に記載の蓄電装置。
【請求項３】
前記導電部材は突部を有し、
前記露出部は前記絶縁カバーの孔であり、前記絶縁カバーによって前記導電部材が覆われた状態で前記孔に前記突部が挿通している請求項１に記載の蓄電装置。
【請求項４】
前記突部の突出長さは、前記孔の深さよりも短い請求項３に記載の蓄電装置。
【請求項５】
前記蓄電装置は、二次電池である請求項１〜請求項４のうち何れか一項に記載の蓄電装置。
【発明の詳細な説明】
【技術分野】
【０００１】
本発明は、絶縁部材によって導電部材が覆われた蓄電装置に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。この種の二次電池では、例えば特許文献１に開示されるように、ケースに電極組立体が収容され、電極組立体と電気的に接続された端子がケース外に突出している。こうした二次電池では、例えば、電極組立体と端子とが導電部材を介して接続され、導電部材をケースから絶縁する目的で導電部材が絶縁カバーによって覆われる場合がある。
【先行技術文献】
【特許文献】
【０００３】
【特許文献１】特開２０１２−６９２８８号公報
【発明の概要】
【発明が解決しようとする課題】
【０００４】
ところで、二次電池の性能評価の目的で端子と導電部材との抵抗を測定することがある。この測定は、端子と導電部材とにそれぞれ測定用端子を接触させることにより行われる。このため、こうした測定を行うためには、導電部材が外部から接触可能であることが望ましく、従来の二次電池ではこの点で改善の余地があった。
【０００５】
この発明は、このような従来の技術に存在する問題点に着目してなされたものであり、その目的は、導電部材をケースから絶縁しつつ、蓄電装置の性能評価を行うことのできる蓄電装置を提供することにある。
【課題を解決するための手段】
【０００６】
上記課題を解決する蓄電装置は、電極組立体を収容するケースと、電極組立体と接続された導電部材と、導電部材と接続されるとともにケース外に突出する端子と、導電部材をケースから絶縁する絶縁カバーと、を備えるものである。絶縁カバーは、ケースを構成するケース壁のうちで導電部材に面する第１ケース壁と、導電部材と、の間に配置される第１絶縁部と、ケースを構成するケース壁のうちで第１ケース壁から立設するケース壁であって互いに対向する第２ケース壁と、導電部材と、の間に配置され、且つ第１絶縁部の端部のうちで第２ケース壁と対向する端部からケース内側に向けて立設された第２絶縁部と、導電部材の一部分を露出させる露出部と、を有する。
【０００７】
上記構成によれば、導電部材のうちで、一部分が絶縁カバーの露出部によって露出し、大部分が絶縁カバーによって覆われる。したがって、導電部材をケースから絶縁することができる。また、導電部材のうちで、絶縁カバーの露出部によって露出された部分に測定用の端子を接触させるようにすれば、端子と導電部材との抵抗を測定することが可能である。したがって、蓄電装置の性能評価を行うことができる。
【０００８】
露出部としては、例えば絶縁カバーの切欠部であり、導電部材のうち端子との接続部分を露出させるものが好ましい。
上記構成によれば、絶縁カバーの切欠部によって露出部が形成されているため、露出部を介して測定用の端子を導電部材に接触させやすくすることができる。
【０００９】
また、例えば導電部材は突部を有し、露出部は絶縁カバーの孔であり、絶縁カバーによって導電部材が覆われた状態で孔に突部が挿通するものであることが好ましい。
上記構成によれば、絶縁カバーの孔によって露出部が形成されているため、露出部を介して測定用の端子を導電部材に接触させやすくすることができる。また、導電部材の突部が絶縁カバーの孔に挿通することにより、導電部材と絶縁カバーの位置決めを行うことができる。
【００１０】
突部の突出長さは、例えば孔の深さよりも短くすることが好ましい。
上記構成によれば、導電部材の突部が孔から絶縁カバーの外部に突き出ることがないため、導電部材の突部がケースの内面等に接触することを抑制することができる。
【００１１】
上記蓄電装置において、前記蓄電装置の好適な例としては、二次電池を挙げることができる。
【発明の効果】
【００１２】
本発明によれば、導電部材をケースから絶縁しつつ、二次電池の性能評価を行うことができる。
【図面の簡単な説明】
【００１３】
【図１】第１の実施形態における二次電池の外観を示す斜視図。
【図２】電極組立体の分解斜視図。
【図３】二次電池を示す分解斜視図。
【図４】図１の４−４線断面図であって、（ａ）は二次電池の断面構造を示す断面図、（ｂ）は二次電池の一部を拡大して示す部分断面図。
【図５】第２の実施形態における二次電池を示す分解斜視図。
【図６】二次電池の断面構造を示す部分断面図。
【発明を実施するための形態】
【００１４】
（第１の実施形態）
以下、蓄電装置を具体化した第１の実施形態を図１〜図４にしたがって説明する。
図１に示すように、蓄電装置としての二次電池１０は、その外形を構成するケース１１を備えている。ケース１１は、矩形筒状のケース本体１２と、ケース本体１２の開口部を塞ぐ矩形平板状の蓋体１３とから構成されている。ケース本体１２は、蓋体１３と対向する矩形状の底壁１２ａと、底壁１２ａの四辺から立設する側壁１２ｂ，１２ｃ，１２ｄ，１２ｅとで構成されている。側壁１２ｂと側壁１２ｄが対向して配置され、側壁１２ｃと側壁１２ｅとが対向して配置されている。すなわち、ケース１１を構成するケース壁のうち、蓋体１３が第１ケース壁に相当し、蓋体１３から立設するケース本体１２の側壁１２ｂ，１２ｃ，１２ｄ，１２ｅが第２ケース壁に相当する。そして、二次電池１０は、その外形が角型の角型電池である。なお、ケース本体１２及び蓋体１３は金属製である。また、本実施形態の二次電池１０は、リチウムイオン電池である。
【００１５】
二次電池１０は、ケース１１に収容されている電極組立体１４と、電極組立体１４と電気を授受する負極端子１５及び正極端子１６とを備えている。各端子１５，１６は、ケース１１の蓋体１３からケース１１外に突出するように取り付けられており、蓋体１３の長手方向の両端部に互いに離間して配置されている。
【００１６】
図２に示すように、電極組立体１４は、負極電極２１と正極電極２５とがセパレータ２９を介して交互に積層されて構成されている。負極電極２１は、矩形状の負極金属箔（例えば銅箔）２２と、負極金属箔２２の両面に設けられた負極活物質層２３と、を有する。負極電極２１の端部２１ｃには、負極タブ２４が突出して設けられている。本実施形態の負極タブ２４は、負極電極２１の端部２１ｃのうち、その中央よりも偏倚した位置に配置されている。
【００１７】
正極電極２５は、矩形状の正極金属箔（例えばアルミニウム箔）２６と、正極金属箔２６の両面に設けられた正極活物質層２７と、を有する。正極電極２５の端部２５ｃには、正極タブ２８が突出して設けられている。正極タブ２８は、正極電極２５の端部２５ｃの中央に配置されている。各電極２１，２５は、各タブ２４，２８が同一極性同士でそれぞれ列状に配置されるように重なっている。
【００１８】
図３に示すように、負極タブ２４は、電極組立体１４の積層方向の一端側に寄せて集められ、その集められた状態で上記一端側とは反対側の他端側に向けて折り返されている。同様に、各正極タブ２８は、電極組立体１４の積層方向の一端側に寄せて集められ、その集められた状態で上記一端側とは反対側の他端側に向けて折り返されている。そして、電極組立体１４のうちで各タブ２４，２８が位置する部分と蓋体１３とが対向する状態で、電極組立体１４がケース１１内に収容されている。
【００１９】
二次電池１０は、負極タブ２４と負極端子１５とを電気的に接続する負極導電部材３１と、正極タブ２８と正極端子１６とを電気的に接続する正極導電部材３５とを備えている。各導電部材３１，３５は、その一部が屈曲した形状であり、ケース１１の内面、すなわち蓋体１３の両面のうちでケース１１内に位置する蓋体１３の内面１３ｂと、電極組立体１４との間に配置されている。そして、各導電部材３１，３５は蓋体１３と面している。
【００２０】
負極導電部材３１は、金属製（例えば銅製）であり、矩形平板状の第１導電部３２と、第１導電部３２から延設された第２導電部３３とを有している。負極導電部材３１のうちで、第１導電部３２が蓋体１３側に位置しており、第２導電部３３が電極組立体１４側に位置している。また、負極端子１５は、外周面にネジ溝が設けられた軸部１５ａと、軸部１５ａの軸線方向の端部に設けられた角柱状の頭部１５ｂと、を有している。そして、負極導電部材３１のうちで、第１導電部３２が各負極タブ２４と溶接等により接合され、第２導電部３３が負極端子１５の頭部１５ｂと溶接等により接合されることにより、負極導電部材３１を介して負極端子１５と電極組立体１４とが電気的に接続される。
【００２１】
正極導電部材３５は、金属製（例えばアルミニウム製）であり、矩形平板状の第１導電部３６と、第１導電部３６から延設された第２導電部３７とを有している。正極導電部材３５のうちで、第１導電部３６が蓋体１３側に位置しており、第２導電部３７が電極組立体１４側に位置している。また、正極端子１６は、負極端子１５と同様に、軸部１６ａと頭部１６ｂとを有している。
【００２２】
ここで、既に説明した通り、正極タブ２８は正極電極２５の端部２５ｃの中央に配置されている一方、負極タブ２４は負極電極２１の端部２１ｃのうちで、その中央よりも偏倚した位置に配置されている。このため、図３に示すように、電極組立体１４の積層方向と直交する方向において、すなわちケース本体１２の側壁１２ｂ，１２ｄに直交する方向において、正極タブ２８と正極端子１６との間の距離は、負極タブ２４と負極端子１５との間の距離よりも長くなっている。こうした距離に対応するように、ケース本体１２の側壁１２ｂ，１２ｄに直交する方向において、正極導電部材３５の第１導電部３６の長さが、負極導電部材３１の第１導電部３２の長さよりも長くなっている。
【００２３】
そして、正極導電部材３５のうちで、第１導電部３６が各正極タブ２８と溶接等により接合され、第２導電部３７が正極端子１６の頭部１６ｂと溶接等により接合されることにより、正極導電部材３５を介して正極端子１６と電極組立体１４とが電気的に接続される。
【００２４】
各端子１５，１６の軸部１５ａ，１６ａには、シール部材としてのＯリング４１が取り付けられている。Ｏリング４１が頭部１５ｂ，１６ｂと蓋体１３との間で圧縮されることにより、各軸部１５ａ，１６ａの周囲がシールされている。
【００２５】
また、二次電池１０は、負極端子１５の頭部１５ｂ及び負極導電部材３１の第２導電部３３と、正極端子１６の頭部１６ｂ及び正極導電部材３５の第２導電部３７と、をそれぞれ覆う絶縁部材４２を備えている。絶縁部材４２は、第２導電部３３，３７の電極組立体１４側の面を覆った状態で、端子１５，１６の頭部１５ｂ，１６ｂ及び軸部１５ａ，１６ａにそれぞれ嵌合している。
【００２６】
各端子１５，１６の軸部１５ａ，１６ａのうち、頭部１５ｂ，１６ｂ側とは反対側の端部が、蓋体１３に形成された孔１３ｃを介してケース１１外に突出している。そして、その頭部１５ｂ，１６ｂの突出箇所には、絶縁リング４３が挿通された状態でナット４４がそれぞれ螺着されている。
【００２７】
図３及び図４（ａ）に示すように、二次電池１０は、各導電部材３１，３５をケース１１から絶縁する絶縁カバー５０を備えている。絶縁カバー５０は、蓋体１３と各導電部材３１，３５との間に配置される矩形板状の第１絶縁部５１と、第１絶縁部５１の端部のうちで、ケース本体１２の側壁１２ｃ，１２ｅに対向する端部５１ｃからそれぞれ立設された矩形平板状の一対の第２絶縁部５２と、を有している。
【００２８】
絶縁カバー５０の第１絶縁部５１は、各導電部材３１，３５とケース１１の蓋体１３の内面１３ｂとの間で延設されている。また、第１絶縁部５１は、蓋体１３からケース本体１２の底壁１２ａに近接する方向において、負極導電部材３１の第１導電部３２と正極導電部材３５の第１導電部３６とに重なっている。すなわち、各導電部材３１，３５の第１導電部３２，３６は、蓋体１３からケース本体１２の底壁１２ａに近接する方向において、その全体が第１絶縁部５１によって覆われている。また、第１絶縁部５１では、その両面５１ａ，５１ｂのうち、蓋体１３側に位置する面５１ａが蓋体１３の内面１３ｂと当接し、各導電部材３１，３５側に位置する面５１ｂが各導電部材３１，３５の第１導電部３２，３６と当接している。すなわち、絶縁カバー５０の第１絶縁部５１は、各導電部材３１，３５とケース１１の蓋体１３の内面１３ｂとで挟まれている。
【００２９】
絶縁カバー５０の第２絶縁部５２は、各導電部材３１，３５とケース１１のケース本体１２の側壁１２ｃ，１２ｅの内面との間で延設されており、ケース本体１２の側壁１２ｃ，１２ｅと直交する方向において負極導電部材３１の第１導電部３２と正極導電部材３５の第１導電部３６とに重なっている。すなわち、各導電部材３１，３５の第１導電部３２，３６は、ケース本体１２の側壁１２ｃ，１２ｅと直交する方向において、第２絶縁部５２によって覆われている。また、各導電部材３１，３５の第１導電部３２，３６が、絶縁カバー５０の第２絶縁部５２によって挟まれている。
【００３０】
図３及び図４（ｂ）に示すように、絶縁カバー５０の第２絶縁部５２は、ケース本体１２の側壁１２ｂ，１２ｄと直交する方向における両端部５２ｃに、矩形状に形成された露出部としての切欠部５３をそれぞれ有している。本実施形態の切欠部５３は、第２絶縁部５２の４つの角部のうち、ケース本体１２の底壁１２ａ側に位置する２つの角部が切り欠かれることにより形成されている。また、本実施形態では、絶縁カバー５０の一対の第２絶縁部５２のうち、一方の第２絶縁部５２が切欠部５３を有している。そして、切欠部５３は、ケース本体１２の底壁１２ａと直交する方向に延びる縁部５３ａと、ケース本体１２の側壁１２ｂ，１２ｄと直交する方向に延びる縁部５３ｂと、で構成されている。こうした切欠部５３によって、絶縁カバー５０の第２絶縁部５２は、ケース本体１２の側壁１２ｃ，１２ｅと直交する方向において、各導電部材３１，３５の第１導電部３２，３６の一部分を露出させている。すなわち、絶縁カバー５０の第２絶縁部５２は、ケース本体１２の側壁１２ｃ，１２ｅと直交する方向において、切欠部５３を除く部分によって各導電部材３１，３５の第１導電部３２，３６を覆っている。なお、各導電部材３１，３５のうちで、第１導電部３２，３６と第２導電部３３，３７との接続部分、すなわち各端子１５，１６の頭部１５ｂ，１６ｂとの接続部分３２ｐ，３６ｐが、切欠部５３によって露出されている。
【００３１】
次に本実施形態の二次電池１０の作用について説明する。
各導電部材３１，３５とケース１１の蓋体１３の内面１３ｂやケース本体１２の側壁１２ｃ，１２ｅの内面との間に設けられている絶縁カバー５０によって、各導電部材３１，３５とケース１１の蓋体１３の内面１３ｂやケース本体１２の側壁１２ｃ，１２ｅの内面との接触が規制されている。
【００３２】
また、絶縁カバー５０の切欠部５３によって、各導電部材３１，３５の一部分が露出する。このため、ケース本体１２の開口部が蓋体１３によって塞がれる前の状態で、上記の導電部材３１，３５の露出部分と端子１５，１６とに、測定用の端子を接触させることが可能である。切欠部５３によって露出される負極導電部材３１の部分と負極端子１５とに測定用の端子を接触させることにより、負極導電部材３１と負極端子１５との抵抗を測定することができる。切欠部５３によって露出される正極導電部材３５と正極端子１６とに測定用の端子を接触させることにより、正極導電部材３５と正極端子１６との抵抗を測定することができる。
【００３３】
したがって、本実施形態によれば、以下に示す効果を得ることができる。
（１）各導電部材３１，３５のうちで、一部分が絶縁カバー５０の切欠部５３によって露出し、大部分が絶縁カバー５０によって覆われる。したがって、各導電部材３１，３５をケース１１から絶縁することができる。また、各導電部材３１，３５のうちで、絶縁カバー５０の切欠部５３によって露出された部分に測定用の端子を接触させるようにすれば、各端子１５，１６と各導電部材３１，３５との抵抗を測定することが可能である。したがって、二次電池１０の性能評価を行うことができる。
【００３４】
（２）絶縁カバー５０の切欠部５３によって各導電部材３１，３５を露出させる露出部が形成されているため、露出部を介して測定用の端子を各導電部材３１，３５に接触させやすくすることができる。
【００３５】
（３）絶縁カバー５０の切欠部５３によって各導電部材３１，３５を露出させる露出部が形成されているため、簡易な構成で露出部を形成することができる。
（４）絶縁カバー５０の切欠部５３は、第２絶縁部５２の４つの角部のうち、ケース本体１２の底壁１２ａ側に位置する２つの角部に形成されている。すなわち、切欠部５３は、絶縁カバー５０のうちで蓋体１３から離間した部分に位置している。このため、各導電部材３１，３５のうち、蓋体１３から離間した部分を切欠部５３によって露出させることができるため、切欠部５３の形成に伴って蓋体１３からの各導電部材３１，３５の絶縁性が低下することを抑制することができる。
【００３６】
（第２の実施形態）
以下、蓄電装置を具体化した第２の実施形態を図５及び図６にしたがって説明する。なお、以下で説明する実施形態では、既に説明した第１の実施形態と同一構成について同一の符号を付すなどして、その重複する説明を省略又は簡略する。
【００３７】
図５に示すように、二次電池１０は、各導電部材１３１，１３５をケース１１から絶縁する絶縁カバー１５０を備えている。絶縁カバー１５０は、蓋体１３と各導電部材１３１，１３５との間に配置される矩形板状の第１絶縁部５１と、第１絶縁部５１の端部のうちで、ケース本体１２の側壁１２ｃ，１２ｅに対向する端部５１ｃからそれぞれ立設された矩形平板状の一対の第２絶縁部１５２と、を有している。本実施形態の絶縁カバー１５０における第１絶縁部５１は、上述の第１の実施形態における絶縁カバー５０の第１絶縁部５１と同形状である。一方、本実施形態の絶縁カバー１５０における第２絶縁部１５２は、上述の第１の実施形態における絶縁カバー５０の第２絶縁部５２とはその形状が異なっている。以下、図５及び図６を参照して、本実施形態における絶縁カバー１５０について、第２絶縁部１５２の形状を中心に説明する。
【００３８】
図５及び図６に示すように、絶縁カバー１５０の第２絶縁部１５２は、ケース本体１２の側壁１２ｂ，１２ｄと直交する方向における両端部１５２ｃに切欠部が形成されていない。その一方で、絶縁カバー１５０の第２絶縁部１５２は、その両面１５２ａ，１５２ｂを貫通して円状に形成された露出部としての孔１５２ｈ，１５２ｉを有している。本実施形態では、絶縁カバー１５０の一対の第２絶縁部１５２のうち、一方の第２絶縁部１５２が孔１５２ｈ，１５２ｉを有している。
【００３９】
また、本実施形態における二次電池１０では、負極導電部材１３１の第１導電部１３２が、そのケース本体１２の側壁１２ｃ，１２ｅに対向する端面１３２ｃ，１３２ｄのうちの一方の端面１３２ｃから突出する突部１３２ｐを有している。更に、正極導電部材１３５の第１導電部１３６が、そのケース本体１２の側壁１２ｃ，１２ｅに対向する端面１３６ｃ，１３６ｄのうちの一方の端面１３６ｃから突出する突部１３６ｐを有している。本実施形態の突部１３２ｐ，１３６ｐは、各導電部材１３１，１３５の第１導電部１３２，１３６のうち、同方向に位置する端面１３２ｃ，１３６ｃに位置している。また、突部１３２ｐ，１３６ｐは円柱状をなし、その突出長さは絶縁カバー１５０の第２絶縁部１５２の板厚、すなわち孔１５２ｈ，１５２ｉの深さよりも短い。
【００４０】
そして、各導電部材１３１，１３５とケース１１のケース本体１２の側壁１２ｃ，１２ｅの内面との間で絶縁カバー１５０の第２絶縁部１５２が延設されるように、絶縁カバー１５０が配設されている。こうして絶縁カバー１５０が配設された状態では、絶縁カバー１５０の第２絶縁部１５２における孔１５２ｈ，１５２ｉが、各導電部材１３１，１３５の第１導電部１３２，１３６における突部１３２ｐ，１３６ｐとそれぞれ対向する。そして、絶縁カバー１５０の孔１５２ｈ，１５２ｉに、各導電部材１３１，１３５の突部１３２ｐ，１３６ｐがそれぞれ挿通されている。突部１３２ｐ，１３６ｐは、絶縁カバー１５０の第２絶縁部１５２における面１５２ｂから面１５２ａに向けて貫通するように孔１５２ｈ，１５２ｉに挿通されている。
【００４１】
こうした孔１５２ｈ，１５２ｉによって、絶縁カバー１５０の第２絶縁部１５２は、ケース本体１２の側壁１２ｃ，１２ｅと直交する方向において、各導電部材１３１，１３５の第１導電部１３２，１３６の一部分である突部１３２ｐ，１３６ｐを露出させている。すなわち、絶縁カバー１５０の第２絶縁部１５２は、ケース本体１２の側壁１２ｃ，１２ｅと直交する方向において、孔１５２ｈ，１５２ｉを除く部分によって各導電部材１３１，１３５の第１導電部１３２，１３６を覆っている。
【００４２】
また、上述したとおり、突部１３２ｐ，１３６ｐの突出長さは孔１５２ｈ，１５２ｉの深さよりも短い。このため、突部１３２ｐ，１３６ｐが孔１５２ｈ，１５２ｉに挿通した状態では、突部１３２ｐ，１３６ｐが孔１５２ｈ，１５２ｉから絶縁カバー１５０の外部に突き出ていない。
【００４３】
次に本実施形態の二次電池１０の作用について説明する。
各導電部材１３１，１３５とケース１１の蓋体１３の内面１３ｂやケース本体１２の側壁１２ｃ，１２ｅの内面との間に設けられている絶縁カバー１５０によって、各導電部材１３１，１３５とケース１１の蓋体１３の内面１３ｂやケース本体１２の側壁１２ｃ，１２ｅの内面との接触が規制されている。
【００４４】
また、各導電部材１３１，１３５の第１導電部１３２，１３６における突部１３２ｐ，１３６ｐが孔１５２ｈ，１５２ｉに挿入されるように絶縁カバー１５０を取り付けることで、各導電部材１３１，１３５に対する絶縁カバー１５０の位置が決まる。
【００４５】
そして、絶縁カバー１５０の第２絶縁部１５２における孔１５２ｈ，１５２ｉによって、各導電部材１３１，１３５の第１導電部１３２，１３６における突部１３２ｐ，１３６ｐが露出する。このため、ケース本体１２の開口部が蓋体１３によって塞がれる前の状態で、上記の露出される突部１３２ｐ，１３６ｐと端子１５，１６とに、測定用の端子を接触させることが可能である。孔１５２ｈによって露出された負極導電部材３１の突部１３２ｐと負極端子１５とに測定用の端子を接触させることにより、負極導電部材３１と負極端子１５との抵抗を測定することができる。孔１５２ｉによって露出された正極導電部材３５の突部１３６ｐと正極端子１６とに測定用の端子を接触させることにより、正極導電部材３５と正極端子１６との抵抗を測定することができる。
【００４６】
したがって、本実施形態によれば、上述した第１の実施形態で得ることのできる効果（１）に加えて以下の効果を得ることができる。
（５）絶縁カバー１５０の第２絶縁部１５２における孔１５２ｈ，１５２ｉによって各導電部材１３１，１３５の一部分を露出させる露出部が形成されているため、露出部を介して測定用の端子を各導電部材１３１，１３５に接触させやすくすることができる。また、各導電部材１３１，１３５の第１導電部１３２，１３６における突部１３２ｐ，１３６ｐが絶縁カバー１５０の孔１５２ｈ，１５２ｉに挿通することにより、各導電部材１３１，１３５と絶縁カバー１５０の位置決めを行うことができる。
【００４７】
（６）各導電部材１３１，１３５の突部１３２ｐ，１３６ｐは、その突出長さが絶縁カバー１５０の孔１５２ｈ，１５２ｉの深さよりも短い。このため、各導電部材１３１，１３５の第１導電部１３２，１３６の突部１３２ｐ，１３６ｐが孔１５２ｈ，１５２ｉから絶縁カバー１５０の外部に突き出ることがないため、各導電部材１３１，１３５の突部１３２ｐ，１３６ｐがケース１１の内面等に接触することを抑制することができる。
【００４８】
（７）絶縁カバー１５０の孔１５２ｈ，１５２ｉによって各導電部材３１，３５を露出させる露出部が形成されているため、簡易な構成で露出部を形成することができる。
なお、上記の各実施形態は以下のように変更してもよい。
【００４９】
○  第２の実施形態において、各導電部材１３１，１３５の突部１３２ｐ，１３６ｐの突出長さは、絶縁カバー１５０の孔１５２ｈ，１５２ｉの深さよりも長くしても良い。ただし、この形態では、突部１３２ｐ，１３６ｐがケース１１の内面に接触しないように、突部１３２ｐ，１３６ｐの突出長さを設定したり、ケース１１の内面のうちで突部１３２ｐ，１３６ｐと対向する部分に絶縁シートを配置させたりする必要がある。
【００５０】
○  第２の実施形態において、各導電部材１３１，１３５の突部１３２ｐ，１３６ｐの形成位置は、第１導電部１３２，１３６の端面１３２ｃ，１３６ｃに限らない。例えば、突部１３２ｐ，１３６ｐは、第１導電部１３２，１３６の端面１３２ｄ，１３６ｄに形成しても良い。この場合では、絶縁カバー１５０の一対の第２絶縁部１５２のうちで、第１導電部１３２，１３６の端面１３２ｄ，１３６ｄと対向する第２絶縁部１５２に孔を形成するようにする。また、突部１３２ｐ，１３６ｐは、第１導電部１３２，１３６のうちで絶縁カバー１５０の第１絶縁部５１と対向する面に形成しても良い。この場合では、絶縁カバー１５０の第１絶縁部５１に孔を形成するようにする。なお、突部１３２ｐ，１３６ｐは、上述の第２の実施形態及びこの変形例で例示した位置のうちで、いずれか１つの位置に形成させても良いし、複数の位置に形成させても良い。
【００５１】
○  第２の実施形態において、負極導電部材１３１と正極導電部材１３５のうちのいずれか一方に突部を設け、この突部と対向する絶縁カバー１５０の位置に孔を設けるようにしても良い。こうした形態によっても、負極導電部材１３１と正極導電部材１３５のうちのいずれか一方において、絶縁カバー１５０との位置決めを行うことと、性能評価を行うこととが可能である。
【００５２】
○  第２の実施形態において、突部１３２ｐ，１３６ｐは矩形柱状等、円柱状以外の形状であっても良い。但し、突部１３２ｐ，１３６ｐが絶縁カバー１５０の孔１５２ｈ，１５２ｉに挿入可能なように、絶縁カバー１５０の孔１５２ｈ，１５２ｉの形状も適宜変更する。
【００５３】
○  第１の実施形態において、切欠部５３は、絶縁カバー５０の一対の第２絶縁部５２の両方に形成しても良い。
○  第１の実施形態において、切欠部５３は、絶縁カバー５０の第２絶縁部５２における両端部５２ｃで挟まれる中央部分に形成しても良い。また、切欠部５３は、絶縁カバー５０の第１絶縁部５１に形成しても良い。なお、切欠部５３は、上述の第１の実施形態及びこの変形例で例示した位置のうちで、いずれか１つの位置に形成させても良いし、複数の位置に形成させても良い。
【００５４】
○  第１の実施形態において、負極導電部材３１と正極導電部材３５のうちのいずれか一方と対向する絶縁カバー５０の位置に切欠部５３を設けるようにしても良い。こうした形態によっても、負極導電部材３１と正極導電部材３５のうちのいずれか一方において性能評価を行うことができる。
【００５５】
○  第１の実施形態において、切欠部５３は円形状等、矩形状以外の切欠部であっても良い。要するに、各導電部材３１，３５の一部分を露出することができる形状であれば、切欠部５３の形状は自由に設定可能である。
【００５６】
○  第１の実施形態における絶縁カバー５０に、切欠部５３に替えて、孔を露出部として形成しても良い。
○  絶縁カバー５０，１５０の第１絶縁部５１や第２絶縁部５２，１５２は、矩形平板状に限らず、絶縁カバー５０，１５０の周辺の部材と接触しないように、その形状を適宜変更しても良い。
【００５７】
○  絶縁カバー５０，１５０として、負極導電部材３１，１３１を覆う部材と正極導電部材３５，１３５を覆う部材とで構成されるもの等、複数の部材で構成されるものを採用しても良い。
【００５８】
○  各導電部材３１，３５，１３１，１３５を、ケース本体１２の底壁１２ａや側壁１２ｂ，１２ｃ，１２ｄ，１２ｅと電極組立体１４との間に位置させてもよい。こうした形態の二次電池１０であっても、各導電部材３１，３５，１３１，１３５とケース本体１２の底壁１２ａや側壁１２ｂ，１２ｃ，１２ｄ，１２ｅの内面との間に絶縁カバー５０，１５０を配置させれば、上記実施形態で得ることのできる効果と同様の効果を得ることができる。
【００５９】
○  各端子１５，１６は、ケース本体１２の底壁１２ａや側壁１２ｂ，１２ｃ，１２ｄ，１２ｅからケース１１外に突出するものであってもよい。
○  負極タブ２４及び正極タブ２８は、いずれか一方を各電極２１，２５の端部２１ｃ，２５ｃの中央よりに配置するとともに、他方を各電極２１，２５の端部２１ｃ，２５ｃの中央よりも偏った位置に配置するようにしても良い。また、負極タブ２４及び正極タブ２８を各電極２１，２５の端部２１ｃ，２５ｃの中央よりも偏った位置に配置させて、負極タブ２４及び正極タブ２８を電極組立体１４の端部の両端に配置するようにしても良い。なお、これら負極タブ２４及び正極タブ２８の位置に合わせて各導電部材３１，３５、１３１，１３５の長さを変更しても良い。
【００６０】
○  ケース１１の外観形状を変更しても良い。例えば、ケース１１は角型として直方体状や立方体状でも良いし、円筒型でも良い。
○  電極組立体１４は、積層型に限らず、帯状の負極電極と帯状の正極電極を捲回して層状に積層した捲回型でも良い。
【００６１】
○  二次電池１０は、リチウムイオン二次電池であったが、これに限らず、他の二次電池であっても良い。要は、負極活物質層と正極活物質層との間をイオンが移動するとともに電荷の授受を行うものであれば良い。また、蓄電装置としてキャパシタでも良い。
【００６２】
○  二次電池１０は、車両電源装置として自動車に搭載しても良いし、産業用車両に搭載しても良い。また、定置用の蓄電装置に適用しても良い。
【符号の説明】
【００６３】
１０…二次電池、１１…ケース、１２…ケース本体、１３…蓋体、１３ｂ…内面、１４…電極組立体、１５…負極端子、１６…正極端子、３１，１３１…負極導電部材、３２ｐ，３６ｐ…接続部分、３５，１３５…正極導電部材、５０，１５０…絶縁カバー、５１…第１絶縁部、５２，１５２…第２絶縁部、５３…切欠部、１３２ｐ，１３６ｐ…突部、１５２ｈ，１５２ｉ…孔。
【図１】
2015125943.tif 000003
【図２】
2015125943.tif 000004
【図３】
2015125943.tif 000005
【図４】
2015125943.tif 000006
【図５】
2015125943.tif 000007
【図６】
2015125943.tif 000008